(57)【要約】【課題】本発明は、除湿装置が１回の運転で使用したエネルギー量を認識し易くし、使用者自らが過去に使用したときの衣類の量や使用環境の経験を生かして省エネルギーに使用することのできる除湿装置を提供する。【解決手段】除湿装置の制御および前記除湿装置が消費した電力量を計算する制御装置を備え、前記制御装置は前記除湿装置の各負荷の電力を予め記憶しておく記憶部を備えており、前記除湿装置の運転開始から一定時間を経過する毎に、前記記憶部から各負荷の電力を選定し足し算して前記除湿装置の消費電力を算出し、前記消費電力と前記一定時間の積から前記除湿装置が前記一定時間に消費した電力量を算出して積算することで前記除湿装置の運転開始からの総電力量を算出するものである。この手段により、電圧センサや電流センサなどを用いることなく、さらに力率計算も必要とせずに除湿装置が運転開始から消費した総電力量を算出することができる。【選択図】図４
2010234251.tif 000002
【特許請求の範囲】
【請求項１】
除湿装置の制御および前記除湿装置が消費した電力量を計算する制御装置を備え、前記制御装置は前記除湿装置の各負荷の電力を予め記憶しておく記憶部を備えており、前記除湿装置の運転開始から一定時間を経過する毎に、前記記憶部から各負荷の電力を選定し足し算して前記除湿装置の消費電力を算出し、前記消費電力と前記一定時間の積から前記除湿装置が前記一定時間に消費した電力量を算出して積算することで前記除湿装置の運転開始からの総電力量を算出することを特徴とする除湿装置。
【請求項２】
除湿装置の操作表示部に運転開始から消費した総電力量を表示する電力量表示部と電力量を設定する電力量設定部とを備え、前記除湿装置の運転開始から消費した総電力量が前記電力量設定部で設定した電力量に達したときに前記除湿装置を停止させることを特徴とする請求項１記載の除湿装置。
【請求項３】
除湿装置が運転開始から消費した総電力量と前記総電力量の単位電力量に相当する電気代との積から前記総電力量に相当する電気代を算出することを特徴とする請求項１記載の除湿装置。
【請求項４】
除湿装置の操作表示部に運転開始からの電気代を表示する電気代表示部と電気代を設定する電気代設定部とを備え、前記除湿装置の運転開始からの電気代が前記電気代設定部で設定した電気代に達したときに前記除湿装置を停止させることを特徴とする請求項３記載の除湿装置。
【請求項５】
除湿装置が消費した総電力量と前記総電力量の単位電力量に相当する二酸化炭素排出量との積から前記総電力量に相当する二酸化炭素排出量を算出することを特徴とする請求項１記載の除湿装置。
【請求項６】
除湿装置の操作表示部に運転開始からの二酸化炭素排出量を表示する二酸化炭素排出量表示部と二酸化炭素排出量を設定する二酸化炭素排出量設定部とを備え、前記除湿装置の運転開始から発生した二酸化炭素排出量が前記二酸化炭素排出量設定部で設定した二酸化炭素排出量に達したときに前記除湿装置を停止させることを特徴とする請求項５記載の除湿装置。
【請求項７】
操作表示部を除湿装置の乾燥風が吹き出す方向と同じ側にしないことを特徴とする請求項２または４または６のいずれかに記載の除湿装置。
【請求項８】
電力量表示部の電力量表示を段階表示にすることを特徴とする請求項２または７に記載の除湿装置。
【請求項９】
電力量表示部の電力量表示を数値表示にすることを特徴とする請求項２または７に記載の除湿装置。
【請求項１０】
電力量を音声により知らせることを特徴とする請求項２または７に記載の除湿装置。
【請求項１１】
電気代表示部の電気代表示を段階表示にすることを特徴とする請求項４または７に記載の除湿装置。
【請求項１２】
電気代表示部の電気代表示を数値表示にすることを特徴とする請求項４または７に記載の除湿装置。
【請求項１３】
電気代を音声により知らせることを特徴とする請求項４または７に記載の除湿装置。
【請求項１４】
二酸化炭素排出量表示部の二酸化炭素排出量表示を段階表示にすることを特徴とする請求項６乃至７のいずれか一つに記載の除湿装置。
【請求項１５】
二酸化炭素排出量表示部の二酸化炭素排出量表示を数値表示にすることを特徴とする請求項６乃至７のいずれか一つに記載の除湿装置。
【請求項１６】
二酸化炭素排出量を音声により知らせることを特徴とする請求項６乃至７のいずれか一つに記載の除湿装置。
【発明の詳細な説明】
【技術分野】
【０００１】
本発明は、主に一般家庭における室内の除湿もしくは室内に干した洗濯物の乾燥に使用される除湿装置の電力量の算出に関する。
【背景技術】
【０００２】
近年、地球温暖化や燃料費の高騰により、一般家庭での省エネルギーへの意識が高まり、二酸化炭素排出量や電気代を意識して家電機器を使用する傾向にある。このような傾向に対して、衣類乾燥機能や除湿機能など多くの運転状態を持ち、さらにそれぞれの運転状態において、湿度や温度を検知して自動的に運転を切り替える除湿装置では、運転開始からのエネルギー量を使用者が把握したくてもできず、さらに１回の運転で使用するエネルギー量を使用者自らが考慮して設定することができないのが現状である。そのため、除湿装置が運転開始から消費した総電力量を簡単な方法で算出して使用者にとって理解しやすい電気代や二酸化炭素排出量に変換してエネルギー量を表示し、さらに除湿装置の１回の運転で使用するエネルギー量を使用者自らが過去に使用したときの衣類の量や使用環境の経験を生かして設定することができる除湿装置が求められている。
【０００３】
しかしながら、使用者に除湿装置が除湿運転や送風のみの運転などの運転状態を知らせる除湿装置は開発されているが、除湿装置が運転開始から消費した総電力量を算出して、使用者に理解しやすいエネルギー量に変換して表示し、さらに１回の運転で使用するエネルギー量を使用者自らが設定することのできる除湿装置は発明されていない（例えば、特許文献１参照）。
【０００４】
以下、その除湿装置について説明する。
【０００５】
除湿装置が除湿運転しているときと送風運転をしているときの状態をＬＥＤなどの表示により、使用者に知らせる除湿装置である。
【特許文献１】特開２００８−９３５０６号公報
【発明の開示】
【発明が解決しようとする課題】
【０００６】
このような従来の方法では、除湿装置の運転状態を使用者に知らせることはできるが、室温や湿度により運転を自動的に切り替えることの多い除湿装置では、１回の運転に使用したエネルギー量がどのくらいかを使用者が把握することは容易ではない。そのため、使用者が省エネルギーを意識して除湿装置を使用しようとしても、使用者には除湿装置が運転終了時までに使用したエネルギー量を把握する方法は無く、使用者主導で除湿装置を省エネルギーに運転することはできない。
【０００７】
本発明は、このような従来の課題を解決するものであり、電圧センサや電流センサなどの検知回路を用いることなく除湿装置の運転開始からの総電力量を簡単に算出し、さらに使用者の省エネ意識に直接働きかけることができる電気代や使用者の環境意識に直接働きけることができる二酸化炭素排出量などに変換して表示することにより、除湿装置が１回の運転で使用したエネルギー量を認識し易くし、使用者自らが過去に使用したときの衣類の量や使用環境の経験を生かして省エネルギーに使用することのできる除湿装置を提供することを目的としている。
【課題を解決するための手段】
【０００８】
本発明は上記目的を達成するために、除湿装置の制御および前記除湿装置が消費した電力量を計算する制御装置を備え、前記制御装置は前記除湿装置の各負荷の電力を予め記憶しておく記憶部を備えており、前記除湿装置の運転開始から一定時間を経過する毎に、前記記憶部から各負荷の電力を選定し足し算して前記除湿装置の消費電力を算出し、前記消費電力と前記一定時間の積から前記除湿装置が前記一定時間に消費した電力量を算出して積算することで前記除湿装置の運転開始からの総電力量を算出することを特徴としたものである。
【０００９】
この手段により、電圧センサや電流センサなどを用いることなく、さらに力率計算も必要とせずに除湿装置が運転開始から消費した総電力量を算出することができる除湿装置が得られる。
【００１０】
さらに、除湿装置の操作表示部に運転開始から消費した総電力量を表示する電力量表示部と電力量を設定する電力量設定部とを備え、前記除湿装置の運転開始から消費した総電力量が前記電力量設定部で設定した電力量に達したときに前記除湿装置を停止させることを特徴としたものである。
【００１１】
この手段により、除湿装置の運転により消費された総電力量を使用者に知らせることが可能となり、さらに除湿装置の運転により消費された総電力量が使用者の設定した総電力量に達したときに停止させることができる除湿装置が得られる。
【００１２】
さらに、除湿装置が運転開始から消費した総電力量と前記総電力量の単位電力量に相当する電気代との積から前記総電力量に相当する電気代を算出することを特徴としたものである。
【００１３】
この手段により、除湿装置の運転により使用した電気代を算出することができる湿装置が得られる。
【００１４】
さらに、除湿装置の操作表示部に運転開始からの電気代を表示する電気代表示部と電気代を設定する電気代設定部とを備え、前記除湿装置の運転開始からの電気代が前記電気代設定部で設定した電気代に達したときに前記除湿装置を停止させることを特徴としたものである。
【００１５】
この手段により、除湿装置の運転により消費された総電力量を使用者の省エネ意識に直接働きかけることができる電気代として知らせることが可能となり、さらに除湿装置の運転により使用された電気代が使用者の設定した電気代に達したときに停止させることができる除湿装置が得られる。
【００１６】
さらに、除湿装置が消費した総電力量と前記総電力量の単位電力量に相当する二酸化炭素排出量との積から前記総電力量に相当する二酸化炭素排出量を算出することを特徴としたものである。
【００１７】
この手段により、除湿装置の運転により発生した二酸化炭素量を算出することができる除湿機装置が得られる。
【００１８】
さらに、除湿装置の操作表示部に運転開始からの二酸化炭素排出量を表示する二酸化炭素排出量表示部と二酸化炭素排出量を設定する二酸化炭素排出量設定部とを備え、前記除湿装置の運転開始から発生した二酸化炭素排出量が前記二酸化炭素排出量設定部で設定した二酸化炭素排出量に達したときに前記除湿装置を停止させることを特徴としたものである。
【００１９】
この手段により、除湿装置の運転により消費された総電力量を使用者の環境意識に直接働きかけることができる二酸化炭素排出量として知らせることが可能となり、さらに除湿装置の運転により発生した二酸化炭素排出量が使用者の設定した二酸化炭素排出量に達したときに停止することができる除湿装置が得られる。
【００２０】
さらに、操作表示部を除湿装置の乾燥風が吹き出す方向と同じ側にしないことを特徴としたものである。
【００２１】
この手段により、除湿装置の乾燥風の方向を調節するルーバーなどの影になることなく、除湿装置を運転しているときの表示を使用者が容易に確認できる除湿装置が得られる。
【００２２】
さらに、電力量表示部の電力量表示を段階表示にすることを特徴としたものである。
【００２３】
この手段により、使用者が除湿装置から離れた場所からでも除湿装置の運転により消費した総電力量の大きさを認識しやすい除湿装置が得られる。
【００２４】
さらに、電力量表示部の電力量表示を数値表示にすることを特徴としたものである。
【００２５】
この手段により、除湿装置の運転により消費した総電力量を定量的に表示することができる除湿装置が得られる。
【００２６】
さらに、電力量を音声により知らせることを特徴としたものである。
【００２７】
この手段により、除湿装置の運転により消費した総電力量を音声により知らせることができる除湿装置が得られる。
【００２８】
さらに、電気代表示部の電気代表示を段階表示にすることを特徴とするとしたものである。
【００２９】
この手段により、使用者が除湿装置から離れた場所からでも除湿装置の運転により使用した電気代を認識しやすい除湿装置が得られる。
【００３０】
さらに、電気代表示部の電気代表示を数値表示にすることを特徴としたものである。
【００３１】
この手段により、除湿装置の運転により使用した電気代を定量的に表示することができる除湿装置が得られる。
【００３２】
さらに、電気代を音声により知らせることを特徴としたものである。
【００３３】
この手段により、除湿装置の運転により使用した電気代を音声により知らせることができる除湿装置が得られる。
【００３４】
さらに、二酸化炭素排出量表示部の二酸化炭素排出量表示を段階表示にすることを特徴としたものである。
【００３５】
この手段により、使用者が除湿装置から離れた場所からでも除湿装置の運転により発生した二酸化炭素排出量を認識しやすい除湿装置が得られる。
【００３６】
さらに、二酸化炭素排出量表示部の二酸化炭素排出量表示を数値表示にすることを特徴としたものである。
【００３７】
この手段により、除湿装置の運転により発生した二酸化炭素排出量を定量的に表示することができる除湿装置が得られる。
【００３８】
さらに、二酸化炭素排出量を音声により知らせることを特徴としたものである。
【００３９】
この手段により、除湿装置の運転により発生した二酸化炭素排出量を音声により知らせることができる除湿装置が得られる。
【発明の効果】
【００４０】
電圧センサや電流センサなどの検知回路を用いることなく除湿装置の運転開始からの総電力量を簡単に算出し、さらに使用者の省エネ意識に直接働きかけることができる電気代や使用者の環境意識に直接働きけることができる二酸化炭素排出量などに変換して表示することにより、除湿装置が１回の運転で使用したエネルギー量を認識し易くし、使用者自らが過去に使用したときの衣類の量や使用環境の経験を生かして省エネルギーに使用することのできる除湿装置が得られる。
【発明を実施するための最良の形態】
【００４１】
本発明の請求項１記載の発明は、除湿装置の制御および前記除湿装置が消費した電力量を計算する制御装置を備え、前記制御装置は前記除湿装置の各負荷の電力を予め記憶しておく記憶部を備えており、前記除湿装置の運転開始から一定時間を経過する毎に、前記記憶部から各負荷の電力を選定し足し算して前記除湿装置の消費電力を算出し、前記消費電力と前記一定時間の積から前記除湿装置が前記一定時間に消費した電力量を算出して積算することで前記除湿装置の運転開始からの総電力量を算出することを特徴とする。
【００４２】
この構成により、電圧センサや電流センサなどを用いることなく、さらに力率計算も必要とせずに除湿装置が運転開始から消費した総電力量を算出することができるという作用を有する。
【００４３】
また、除湿装置の操作表示部に運転開始から消費した総電力量を表示する電力量表示部と電力量を設定する電力量設定部とを備え、前記除湿装置の運転開始から消費した総電力量が前記電力量設定部で設定した電力量に達したときに前記除湿装置を停止させることを特徴とし、この構成により、除湿装置の運転により消費された総電力量を使用者に知らせることが可能となり、さらに除湿装置の運転により消費された総電力量が使用者の設定した総電力量に達したときに停止させることができるという作用を有する。
【００４４】
また、除湿装置が運転開始から消費した総電力量と前記総電力量の単位電力量に相当する電気代との積から前記総電力量に相当する電気代を算出することを特徴とし、除湿装置の運転により使用した電気代を算出することができるという作用を有する。
【００４５】
また、除湿装置の操作表示部に運転開始からの電気代を表示する電気代表示部と電気代を設定する電気代設定部とを備え、前記除湿装置の運転開始からの電気代が前記電気代設定部で設定した電気代に達したときに前記除湿装置を停止させることを特徴とし、この構成により、除湿装置の運転により消費された総電力量を使用者の省エネ意識に直接働きかけることができる電気代として知らせることが可能となり、さらに除湿装置の運転により使用された電気代が使用者の設定した電気代に達したときに停止させることができるという作用を有する。
【００４６】
また、除湿装置が消費した総電力量と前記総電力量の単位電力量に相当する二酸化炭素排出量との積から前記総電力量に相当する二酸化炭素排出量を算出することを特徴とし、
除湿装置の運転により発生した二酸化炭素量を算出することができるという作用を有する。
【００４７】
また、除湿装置の操作表示部に運転開始からの二酸化炭素排出量を表示する二酸化炭素排出量表示部と二酸化炭素排出量を設定する二酸化炭素排出量設定部とを備え、前記除湿装置の運転開始から発生した二酸化炭素排出量が前記二酸化炭素排出量設定部で設定した二酸化炭素排出量に達したときに前記除湿装置を停止させることを特徴とし、この構成により、除湿装置の運転により消費された総電力量を使用者の環境意識に直接働きかけることができる二酸化炭素排出量として知らせることが可能となり、さらに除湿装置の運転により発生した二酸化炭素排出量が使用者の設定した二酸化炭素排出量に達したときに停止することができるという作用を有する。
【００４８】
さらに、操作表示部を除湿装置の乾燥風が吹き出す方向と同じ側にしないことを特徴とし、この構成により、除湿装置の乾燥風の方向を調節するルーバーなどの影になることなく、除湿装置を運転しているときの表示を使用者が容易に確認できるという作用を有する。
【００４９】
また、電力量表示部の電力量表示を段階表示にすることを特徴とし、使用者が除湿装置から離れた場所からでも除湿装置の運転により消費した総電力量の大きさを認識しやすいという作用を有する。
【００５０】
また、電力量表示部の電力量表示を数値表示にすることを特徴とし、除湿装置の運転により消費した総電力量を定量的に表示することができるという作用を有する。
【００５１】
また、電力量を音声により知らせることを特徴とし、除湿装置の運転により消費した総電力量を音声により知らせることができるという作用を有する。
【００５２】
また、電気代表示部の電気代表示を段階表示にすることを特徴とし、使用者が除湿装置から離れた場所からでも除湿装置の運転により使用した電気代を認識しやすいという作用を有する。
【００５３】
また、電気代表示部の電気代表示を数値表示にすることを特徴とし、除湿装置の運転により使用した電気代を定量的に表示することができるという作用を有する。
【００５４】
また、電気代を音声により知らせることを特徴とし、除湿装置の運転により使用した電気代を音声により知らせることができるという作用を有する。
【００５５】
また、二酸化炭素排出量表示部の二酸化炭素排出量表示を段階表示にすることを特徴とし、使用者が除湿装置から離れた場所からでも除湿装置の運転により発生した二酸化炭素排出量を認識しやすいという作用を有する。
【００５６】
また、二酸化炭素排出量表示部の二酸化炭素排出量表示を数値表示にすることを特徴とし、除湿装置の運転により発生した二酸化炭素排出量を定量的に表示することができるという作用を有する。
【００５７】
また、二酸化炭素排出量を音声により知らせることを特徴とし、除湿装置の運転により発生した二酸化炭素排出量を音声により知らせることができるという作用を有する。
【００５８】
以下、本発明の実施の形態について図面を参照しながら説明する。
【００５９】
（実施の形態１）
図１と図２に本発明に関わる除湿装置の全体構成を示す。
【００６０】
図１に示すように、除湿装置は、本体１の天面に除湿装置の操作と運転状態を表示するための操作表示部２と室内の空気を吸い込む吸込口３と除湿された空気を吹き出すための吹出口４と吹出口４から吹き出す空気の風向を上下方向に変化させるための風向ルーバー５と水平方向に送風範囲を変化させる送風範囲ルーバー６と除湿した水分を集めるためのタンク７と室内の空気の温度と湿度を検知する温湿度センサ８を備えている。また、操作表示部２には除湿装置の運転により消費した総電力量を表示する電力量表示部９と除湿装置の運転により消費した総電力量が設定した電力量に達したときに除湿装置を停止させる電力量を設定する電力量設定部１０とを備え、図には示していないが、電力量設定部１０はスイッチにより設定無しと任意のＨ［ｋＷｈ］を設定できる構成になっている。ここで、操作表示部２は、除湿装置の乾燥風が吹き出す方向と一致しないように吹出口４の反対側にあり、風向ルーバー５の影になって使用者が見難い配置にならにように考慮してある。また、温湿度センサ８は、雰囲気温度の検知と雰囲気湿度の検知ができるものであればよく、それぞれサーミスタや高分子センサなどを使用することができる。
【００６１】
次に図２に示すように、除湿装置の本体１の内部には、除湿装置の制御と電力量を演算するための制御装置１１と、吸い込んだ空気の水分を吸着する吸湿材と吸湿材を回転させるための吸湿材回転用モータ１２と、吸湿材を加熱して吸湿材から水分を放出させるための再生ヒーターＬ１３と再生ヒーターＨ１４と吸湿材から放出される水分を凝縮させるための凝縮器１５と室内の空気を吸込口３から吸い込んで本体１の内部を循環させて除湿した空気を吹出口４から吹き出すためのファンとファンを駆動するためのファンモータ１６と風向ルーバー５と送風範囲ルーバー６を駆動するためのステッピングモータとが収納されている。ここで、再生ヒーターは再生ヒーターＬ１３と再生ヒーターＨ１４の構成になっているが、それぞれの役割は同じであり、再生ヒーターの温度の調節範囲を広げるためにこのような構成としている。また、制御装置１１には、負荷を駆動するためのトライアックやリレーなどの電子部品で構成された負荷駆動回路１７と、カウンターやタイマーやＲＡＭやＲＯＭを内部に持つマイコン１８とを備えている。ここで、マイコン１８の動作はマイコン内のカウンターやタイマーやＲＡＭやＲＯＭが共同するマイコンのプログラムの形態で実施される。
【００６２】
上記のように構成した除湿装置において、除湿装置の運転により消費した総電力量の演算方法と設定した電力量に達したときに除湿装置を停止させる方法について、図２から図６を参照しながら説明する。
【００６３】
図２に示すように、除湿装置の制御装置１１に搭載されているマイコン１８に除湿装置の各負荷の消費電力を図３に示すようにデータテーブル形式で記憶させておく。ここでは、ステッピングモータの消費電力は、図３に示す負荷の消費電力に比べて非常に小さく無視できるレベルであるため、消費電力の計算から省略している。
【００６４】
図４に示すように、ステップ１で除湿装置に電源を投入し、ステップ２に移行して電力量設定部１０で除湿装置を停止させる電力量ＷＰ［ｋＷｈ］を使用者の操作により設定し、ステップ３にて使用者の操作により除湿装置の運転を開始する。運転を開始した直後にステップ４にて除湿装置の消費電力Ｐ［ｋＷ］と一定時間Ｔ［ｈ］の間に消費した電力量ＰＨ［ｋＷｈ］と前回の計算により求めた除湿装置の運転開始からの総電力量ＷＰ１［ｋＷｈ］と電力量表示部９と除湿装置の停止を判断するための総電力量ＷＰ２［ｋＷｈ］を初期化する。ステップ５に移行して一定時間Ｔ［ｈ］経過した後、ステップ６にて除湿装置の駆動している各負荷の消費電力を図３に示した負荷消費電力のデータテーブルから選出し、除湿装置全体の消費電力Ｐ［ｋＷ］を足し算して算出する。次にステップ７に移行し、消費電力Ｐ［ｋＷ］と一定時間Ｔ［ｈ］の積から電力量ＰＨ［ｋＷｈ］を算出し、ステップ８にて前回の計算により求めた総電力量ＷＰ１［ｋＷｈ］と電力量ＰＨ［ｋＷｈ］の足し算から除湿装置の運転開始から消費した総電力量ＷＰ２［ｋＷｈ］を算出する。次にステップ９に移行してＷＰ２［ｋＷｈ］の値をＷＰ１［ｋＷｈ］に記憶させて、ステップ１０に移行し、電力量表示部９に除湿装置の運転開始からの総電力量ＷＰ２［ｋＷｈ］を表示する。その後、ステップ１１に移行して設定値ＷＰ［ｋＷｈ］と総電力量ＷＰ２［ｋＷｈ］を比較し、総電力量ＷＰ２［ｋＷｈ］が設定値ＷＰ［ｋＷｈ］より小さいならば、ステップ５に移行してステップ１１までを繰り返す。また、総電力量ＷＰ２［ｋＷｈ］が設定値ＷＰ［ｋＷｈ］以上ならば、除湿装置の運転を停止する。
【００６５】
次に除湿装置の運転開始から消費した総電力量ＷＰ２［ｋＷｈ］の算出例を示す。
【００６６】
例えば、除湿装置の負荷として、ファンモータ１６の弱運転、再生ヒーターＬ１３、吸湿材回転用モータ１２、凝縮器１５が駆動している場合、図３に示す負荷消費電力のデータテーブルから、それぞれの負荷の消費電力としてＣ［ｋＷ］、Ｄ［ｋＷ］、Ｆ［ｋＷ］、Ｇ［ｋＷ］を選出し、消費電力Ｐ１［ｋＷ］＝Ｃ＋Ｄ＋Ｆ＋Ｇにより算出する。そして、消費電力Ｐ１［ｋＷ］と一定時間Ｔ［ｈ］との積から一定時間Ｔ［ｈ］の間に消費した電力量ＰＨ１［ｋＷｈ］を算出し、前回に計算された総電力量ＷＰ１１と電力量ＰＨ１［ｋＷｈ］の足し算から総電力量ＷＰ２１［ｋＷｈ］を算出して、総電力量ＷＰ２１［ｋＷｈ］の値を次回の計算に使用する総電力量ＷＰ１２［ｋＷｈ］に記憶させる。そして、次の一定時間Ｔ［ｈ］経過後、室内の温湿度の変化や使用者により運転状態が変更され、除湿装置の負荷がファンモータ１６の強運転、再生ヒーターＬ１３、再生ヒーターＨ１４、吸湿材回転用モータ１２、凝縮器１５に変更されていた場合は、図３に示す負荷消費電力のデータテーブルから、それぞれの負荷の消費電力として、新たにＡ［ｋＷ］、Ｄ［ｋＷ］、Ｅ［ｋＷ］、Ｆ［ｋＷ］、Ｇ［ｋＷ］を選出し、消費電力Ｐ２［ｋＷ］＝Ａ＋Ｄ＋Ｅ＋Ｆ＋Ｇを算出する。そして、消費電力Ｐ２［ｋＷ］と一定時間Ｔ［ｈ］の積から一定時間Ｔ［ｈ］の間に消費した電力量ＰＨ２［ｋＷｈ］を算出し、前回に計算された総電力量ＷＰ１２と電力量ＰＨ２［ｋＷｈ］の足し算から総電力量ＷＰ２２［ｋＷｈ］を算出し、総電力量ＷＰ２２［ｋＷｈ］の値を次回の計算に使用する総電力量ＷＰ１３［ｋＷｈ］に記憶させる。
【００６７】
このようにマイコンなどの情報を記憶できる電子部品を搭載している除湿措置であれば、電圧センサや電流センサなどの新たな電子部品と電子回路を用いることなく、さらに力率を考慮する必要もないので、低コストかつ簡単な方法で除湿装置を運転してから消費した総電力量を算出することができ、電力量を表示する表示手段を備えることで、使用者が除湿装置を運転しているときの消費電力を把握することが可能となる。さらに電力量設定部１０を備えることで、設定した電力量を除湿装置が消費した時点で除湿装置の運転を停止することのとできる除湿装置が得られる。
【００６８】
図には示していないが、除湿装置の持つすべての運転状態の消費電力をデータテーブル形式でマイコンに記憶させておき、除湿装置の運転状態に合致する消費電力をデータテーブルから選定するだけで計算する必要もなく、さらに簡単に除湿装置の消費電力を算出し、除湿装置の運転により消費した総電力量を求めることが可能である。
【００６９】
このように、電圧センサや電流センサなどのセンサ類や専用の電子回路を用いず、マイコンなどの情報を記憶することのできる電子部品に消費電力の情報を記憶しておいて、除湿装置の運転により消費した総電力量を求める方法であれば、その方法に限定されず、その作用効果に差異は生じない。
【００７０】
次に除湿装置の電力量の表示例を示す。
【００７１】
図５に示すように電力量表示部９に液晶を用いれば、除湿装置の運転開始から消費した総電力量を段階表示することができ、使用者が除湿装置から離れた場所からでも総電力量の大きさを認識しやすい表示が可能となる。
【００７２】
図６に示すように、電力量表示部９に７セグメントを用いて表示すれば、除湿装置の運転開始から消費した総電力量を定量的に表示することが可能である。
【００７３】
また、図には示していないが、液晶のバックライトや７セグメントの色を除湿装置の運転開始から消費した総電力量が少ないときは、省エネやエコを連想するような緑色などにし、総電力量が多くなったときは暖色系の赤色などにすることで、使用者に除湿装置が消費した総電力量を感覚的に認識させることが可能であり、さらに部屋の温度上昇に影響する度合いを認識させることも可能となる。
【００７４】
また、図には示していないが、スピーカーを用いれば、音声などの音により使用者に除湿装置で消費した総電力量を知らせることが可能となる。
【００７５】
このように、除湿装置の運転開始から消費した総電力量を使用者に対して表現する方法であれば、その方法に限定されず、その作用効果に差異は生じない。
【００７６】
（実施の形態２）
実施の形態１と同一部分は同一番号を付し、詳細な説明は省略する。
【００７７】
図７に示すように操作表示部２に電気代表示部１９と電気代設定部２０を備え、図には示していないが、電気代設定部２０はスイッチにより設定無しと任意のＹ［円］を設定できる構成になっている。
【００７８】
上記のように構成した除湿装置において、除湿装置の運転により使用した電気代の演算方法と設定した電気代に達したときに除湿装置を停止させる方法について、図７から図１０を参照しながら説明する。
【００７９】
図８に示すように、ステップ１３にて電気代設定部２０で除湿装置を停止させる電気代Ｙ［円］を使用者の操作により設定する。そして、ステップ１４にて総電力量ＷＰ２［ｋＷｈ］の単位電力量に相当する電気代Ｅ［円／ｋＷｈ］と総電力量ＷＰ２［ｋＷｈ］との積から電気代Ｙ１［円を］算出し、ステップ１５にて電気代表示部１９に電気代を表示する。次にステップ１６に移行して、設定値Ｙ［円］と電気代Ｙ１［円］を比較し、電気代Ｙ１［円］が設定値Ｙ［円］より小さいならば、ステップ５に移行してステップ１６までを繰り返す。また、電気代Ｙ１［円］が設定値Ｙ［円］以上ならば、除湿装置の運転を停止する。
【００８０】
次に除湿装置の電気代の表示例を示す。
【００８１】
図９に示すように電気代表示部１９に液晶を用いれば、除湿装置の運転開始から使用した電気代を段階表示することができ、使用者が除湿装置から離れた場所からでも電気代を認識しやすい表示が可能となる。
【００８２】
図１０に示すように、電気代表示部１９に７セグメントを用いて表示すれば、除湿装置の運転開始から使用した電気代を定量的に表示することが可能である。
【００８３】
また、図には示していないが、液晶のバックライトや７セグメントの色を除湿装置の運転開始から使用した電気代が少ないときは、節約していることを連想するような緑色などにし、電気代が多くなったときは出費を連想させるの赤色などにすることで、使用者に除湿装置の運転開始から使用した電気代を感覚的に認識させることが可能となる。
【００８４】
また、図には示していないが、スピーカーを用いれば、音声などの音により使用者に除湿装置で使用した電気代を知らせることが可能となる。
【００８５】
このように、除湿装置の運転開始から使用した電気代を使用者に対して表現する方法であれば、その方法に限定されず、その作用効果に差異は生じない。
【００８６】
（実施の形態３）
実施の形態１と実施の形態２と同一部分は同一番号を付し、詳細な説明は省略する。
【００８７】
図１１に示すように操作表示部２に二酸化炭素排出量表示部２１と二酸化炭素排出量設定部２２とを備え、図には示していないが、二酸化炭素排出量設定部２２はスイッチにより設定無しと任意の二酸化炭素排出量Ｃ［ｋｇ］を設定できる構成になっている。
【００８８】
上記のように構成した除湿装置において、除湿装置の運転により発生した二酸化炭素排出量の演算方法と設定した二酸化炭素排出量に達したときに除湿装置を停止させる方法について、図１１から図１４を参照しながら説明する。
【００８９】
図１２に示すように、ステップ１７にて二酸化炭素排出量設定部２２で除湿装置を停止させる二酸化炭素排出量Ｃ［ｋｇ］を使用者の操作により設定する。そして、ステップ１８にて総電力量ＷＰ２［ｋＷｈ］の単位電力量に相当する二酸化炭素排出量Ｇ［ｋｇ／ｋＷｈ］と総電力量ＷＰ２［ｋＷｈ］との積から二酸化炭素排出量Ｃ１［ｋｇ］を算出し、ステップ１９にて二酸化炭素排出量表示部２１に二酸化炭素排出量を表示する。次にステップ２０に移行して、設定値Ｃ［ｋｇ］と二酸化炭素排出量Ｃ１［ｋｇ］を比較し、二酸化炭素排出量Ｃ１［ｋｇ］が設定値Ｃ［ｋｇ］より小さいならば、ステップ５に移行してステップ２０までを繰り返す。また、二酸化炭素排出量Ｃ１［ｋｇ］が設定値Ｃ［ｋｇ］以上ならば、除湿装置の運転を停止する。
【００９０】
ここで使用した総電力量の単位電力量に相当する二酸化炭素排出量Ｇ［ｋｇ／ｋＷｈ］は、各電気事業者から供給を受けたときの単位電力に相当する二酸化炭素排出量を経済産業省が算出しており、これを利用することが可能である。図には示していないが、各電気事業者の単位電力に相当する二酸化炭素排出量をマイコン１８に予め記憶しておけば、除湿装置が運転開始から消費した総電力量を算出すれば、簡単に二酸化炭素排出量を求めることが可能となる。また、一般家庭に電力を供給している各電気事業者の単位電力に相当する二酸化炭素排出量の平均値を利用することも可能であり、この場合でも、１回の除湿装置の運転により発生した二酸化炭素排出量を定量的に使用者が把握することができるため、次の機会に使用者が除湿装置を使用する際、二酸化炭素排出量のことを考慮できるという目的には支障を生じない。
【００９１】
次に除湿装置の二酸化炭素排出量の表示例を示す。
【００９２】
図１３に示すように二酸化炭素排出量表示部２１に液晶を用いれば、除湿装置の運転開始から発生した二酸化炭素排出量を段階表示することができ、使用者が除湿装置から離れた場所からでも二酸化炭素排出量を認識しやすい表示が可能となる。
【００９３】
図１４に示すように、二酸化炭素排出量表示部２１に７セグメントを用いて表示すれば、除湿装置の運転開始から発生した二酸化炭素排出量を定量的に表示することが可能である。
【００９４】
また、図には示していないが、液晶のバックライトや７セグメントの色を除湿装置の運転開始から発生した二酸化炭素排出量が少ないときは、省エネやエコを連想するような緑色などにし、二酸化炭素排出量が多くなったときは暖色系の赤色などにすることで、使用者に除湿装置により発生した二酸化炭素排出量を感覚的に認識させることが可能であり、さらに地球環境に影響する度合いを認識させることも可能となる。
【００９５】
また、図には示していないが、スピーカーを用いれば、音声などの音により使用者に除湿装置の使用で発生した二酸化炭素排出量を知らせることが可能となる。
【００９６】
このように、除湿装置の運転開始から発生した二酸化炭素排出量を使用者に対して表現する方法であれば、その方法に限定されず、その作用効果に差異は生じない。
【産業上の利用可能性】
【００９７】
本発明の除湿装置の制御は、一般家庭用の家電機器の電力量の算出に適用できる。
【図面の簡単な説明】
【００９８】
【図１】本発明の実施の形態１の除湿装置の図
【図２】本発明の実施の形態１の除湿装置の内部の図
【図３】除湿装置の負荷消費電力のデータテーブルを記載した図
【図４】同除湿装置の総電力量演算プログラムのフローチャート
【図５】同除湿装置の液晶による電力量表示の図
【図６】同除湿装置の７セグメントによる電力量表示の図
【図７】本発明の実施の形態２の除湿装置の内部の図
【図８】同除湿装置の電気代演算プログラムのフローチャート
【図９】同除湿装置の液晶による電気代表示の図
【図１０】同除湿装置の７セグメントによる電気代表示の図
【図１１】本発明の実施の形態３の除湿装置の内部の図
【図１２】同除湿装置の二酸化炭素排出量演算プログラムのフローチャート
【図１３】同除湿装置の液晶による二酸化炭素排出量表示の図
【図１４】同除湿装置の７セグメントによる二酸化炭素排出量表示の図
【符号の説明】
【００９９】
１    本体
２    操作表示部
３    吸込口
４    吹出口
５    風向ルーバー
６    送風範囲ルーバー
７    タンク
８    温湿度センサ
９    電力量表示部
１０  電力量設定部
１１  制御装置
１２  吸湿材回転用モータ
１３  再生ヒーターＬ
１４  再生ヒーターＨ
１５  凝縮器
１６  ファンモータ
１７  負荷駆動回路
１８  マイコン
１９  電気代表示部
２０  電気代設定部
２１  二酸化炭素排出量表示部
２２  二酸化炭素排出量設定部
【図１】
2010234251.tif 000003
【図２】
2010234251.tif 000004
【図３】
2010234251.tif 000005
【図４】
2010234251.tif 000006
【図５】
2010234251.tif 000007
【図６】
2010234251.tif 000008
【図７】
2010234251.tif 000009
【図８】
2010234251.tif 000010
【図９】
2010234251.tif 000011
【図１０】
2010234251.tif 000012
【図１１】
2010234251.tif 000013
【図１２】
2010234251.tif 000014
【図１３】
2010234251.tif 000015
【図１４】
2010234251.tif 000016